(57)【要約】【課題】情報を見やすく表示することが可能な画像表示装置を提供すること。【解決手段】ポインタの接触により操作可能なタッチパネルを有する画像表示部と、前記画像表示部の領域毎に前記ポインタの接近を検出する接近検出部と、前記画像表示部の動作を制御する制御部と、第１及び第２の画像を生成する画像生成部と、を備え、前記画像生成部により生成された第１の画像が前記画像表示部に表示された状態で、前記接近検出部により前記ポインタの接近が検出された場合、前記制御部は、前記ポインタが接近した領域に最も近い、前記画像表示部の四隅の一つに前記画像生成部により生成された第２の画像を表示する、画像表示装置が提供される。【選択図】図１
2011003202.tif 000002
【特許請求の範囲】
【請求項１】
ポインタの接触により操作可能なタッチパネルを有する画像表示部と、
前記画像表示部の領域毎に前記ポインタの接近を検出する接近検出部と、
前記画像表示部の動作を制御する制御部と、
第１及び第２の画像を生成する画像生成部と、
を備え、
前記画像生成部により生成された第１の画像が前記画像表示部に表示された状態で、前記接近検出部により前記ポインタの接近が検出された場合、前記制御部は、前記ポインタが接近した領域に最も近い、前記画像表示部の四隅の一つに前記画像生成部により生成された第２の画像を表示する、
画像表示装置。
【請求項２】
前記制御部は、前記接近検出部により前記ポインタが遠ざかったことが検出されると、所定の表示時間だけ経過した時点で前記第２の画像の表示を終了する、
請求項１に記載の画像表示装置。
【請求項３】
前記制御部は、前記表示時間の変更を受け付ける、
請求項２に記載の画像表示装置。
【請求項４】
前記接近検出部は、
赤外線を送出する発光部と、
前記発光部に対応するように配置されて、前記指による前記赤外線の遮光を検出する受光部と、
を有する、
請求項３に記載の画像表示装置。
【請求項５】
前記指接近検出部は、
マイクロ波を送出する送信部と、
前記送信部に対応するように配置されて、前記指の接近により変化する前記マイクロ波を受信する受信部と、
を有する、
請求項３に記載の画像表示装置。
【請求項６】
前記第１の画像又は前記第２の画像は、メニューである、
請求項１に記載の画像表示装置。
【請求項７】
現在位置の情報を取得する位置情報取得部をさらに備え、
前記画像生成部は、前記位置情報取得部により取得された現在位置の情報に基づき、前記第１の画像としてユーザーの道案内に供する案内画像を生成する、
請求項１に記載の画像表示装置。
【発明の詳細な説明】
【技術分野】
【０００１】
本発明は、画像表示装置に関し、例えばカーナビゲーション装置に適用することができる。本発明は、表示画面に配置したタッチパネルによりユーザーの操作を受け付ける場合に、このタッチパネルへの指の接近によりメニューを表示することにより、大きさの限られた表示画面を有効に利用して、種々の情報を確実に提供することができるようにする。
【背景技術】
【０００２】
従来、カーナビゲーション装置においては、ユーザーによる使い勝手を向上する目的で、表示画面に配置したタッチパネルによりユーザーの操作を受け付けるようになされている。
【０００３】
すなわちカーナビゲーション装置においては、例えば液晶表示パネルの表面に透過型のタッチパネルが配置され、この液晶表示パネルを用いて、道案内の画像等をメニューと共に表示する。これによりユーザーにおいては、必要に応じてこのメニューの操作により、例えば道案内の画像を拡大する等の操作を実行できるようになされ、さらには現在位置近傍のレストラン等を検索できるようになされている。
【発明の概要】
【発明が解決しようとする課題】
【０００４】
ところで実際上、カーナビゲーション装置においては、車載により使用されることにより、７〜８インチ程度の小型の液晶表示パネルにより各種画像を表示するようになされており、これにより各種の表示が見辛い問題がある。
【０００５】
このような大きさの限られた表示画面を有効に利用して、種々の情報を確実に提供することができれば、この種の装置の使い勝手をさらに一段と向上できると考えられる。
【０００６】
本発明は以上の点を考慮してなされたもので、大きさの限られた表示画面を有効に利用して、種々の情報を確実に提供することができる画像表示装置を提案しようとするものである。
【課題を解決するための手段】
【０００７】
上記課題を解決するために、本発明のある観点によれば、ポインタの接触により操作可能なタッチパネルを有する画像表示部と、前記画像表示部の領域毎に前記ポインタの接近を検出する接近検出部と、前記画像表示部の動作を制御する制御部と、第１及び第２の画像を生成する画像生成部と、を備え、前記画像生成部により生成された第１の画像が前記画像表示部に表示された状態で、前記接近検出部により前記ポインタの接近が検出された場合、前記制御部は、前記ポインタが接近した領域に最も近い、前記画像表示部の四隅の一つに前記画像生成部により生成された第２の画像を表示する、画像表示装置が提供される。
【０００８】
また、前記制御部は、前記接近検出部により前記ポインタが遠ざかったことが検出されると、所定の表示時間だけ経過した時点で前記第２の画像の表示を終了するように構成されていてもよい。
【０００９】
また、前記制御部は、前記表示時間の変更を受け付けるように構成されていてもよい。
【００１０】
また、前記接近検出部は、赤外線を送出する発光部と、前記発光部に対応するように配置されて、前記指による前記赤外線の遮光を検出する受光部と、を有していてもよい。
【００１１】
また、前記指接近検出部は、マイクロ波を送出する送信部と、前記送信部に対応するように配置されて、前記指の接近により変化する前記マイクロ波を受信する受信部と、を有していてもよい。
【００１２】
また、前記第１の画像又は前記第２の画像は、メニューであってもよい。
【００１３】
また、上記の画像表示装置は、現在位置の情報を取得する位置情報取得部をさらに備えていてもよい。この場合、前記画像生成部は、前記位置情報取得部により取得された現在位置の情報に基づき、前記第１の画像としてユーザーの道案内に供する案内画像を生成する。
【発明の効果】
【００１４】
上述のように本発明によれば、表示画面に配置したタッチパネルによりユーザーの操作を受け付ける場合に、このタッチパネルへの指の接近によりメニューを表示することにより、大きさの限られた表示画面を有効に利用して、種々の情報を確実に提供することができる。
【図面の簡単な説明】
【００１５】
【図１】本発明の実施の形態に係るカーナビゲーション装置の表示画面を示す平面図である。
【図２】本発明の実施の形態に係るカーナビゲーション装置を示すブロック図である。
【図３】図２のカーナビゲーション装置の画像表示ユニットを示す平面図及び断面図である。
【図４】図１のカーナビゲーション装置における信号処理回路を周辺構成と共に示す接続図である。
【発明を実施するための形態】
【００１６】
以下、適宜図面を参照しながら本発明の実施の形態を詳述する。
【００１７】
（１）実施の形態の構成
図２は、本発明の実施の形態に係るカーナビゲーション装置を示すブロック図である。このカーナビゲーション装置１は、画像表示ユニット２によりユーザーの操作を検出し、このユーザーの操作により画像表示ユニット２に地図等を表示し、これにより種々の情報をユーザーに提供する。
【００１８】
ここで画像表示ユニット２は、例えば液晶表示パネルとバックライトとにより構成される表示部３の表面側に、透過式のタッチパネル４、指の接近を検出するセンサ５Ａ〜５Ｇを配置して形成される。すなわち図３に平面図、この平面図をＡ−Ａ線により切り取った断面図を示すように、画像表示ユニット２は、例えば樹脂を射出成形したフレーム６にタッチパネル４、表示部３を順次積層して配置し、このフレーム６に形成された開口により、タッチパネル４を介して表示部３に表示された各種の画像を目視できるように構成され、またこのタッチパネル４によりユーザーの操作を検出できるように構成される。
【００１９】
センサ５Ａ〜５Ｇは、タッチパネル４へのユーザーの指の接近を検出する指接近検出機構を構成し、それぞれ発光ダイオードによる赤外線発光素子７Ａ〜７Ｇと対応する受光素子８Ａ〜８Ｇとにより形成される。センサ５Ａ〜５Ｇは、表示部３による画像表示面の各領域を各センサ５Ａ〜５Ｇがそれぞれ分担するように、これら発光素子７Ａ〜７Ｇ及び受光素子８Ａ〜８Ｇが、フレーム６の内側、画像表示面の周囲に配置される。
【００２０】
すなわち第１〜第３のセンサ５Ａ〜５Ｂは、画像表示面を上下方向に分割してなる各領域に割り当てられ、この実施の形態では画像表示面の左方に、上方より順次発光素子７Ａ〜７Ｃが配置され、画像表示面を間に挟んで対向するように、画像表示面の右方に、上方より、順次受光素子８Ａ〜８Ｃが配置される。また第４〜第７のセンサ５Ｃ〜５Ｇは、画像表示面を横方向に分割してなる各領域に割り当てられ、この実施の形態では、画像表示面の下方に、左側より順次発光素子７Ｃ〜７Ｇ配置され、画像表示面を間に挟んで対向するように、画像表示面の上方に、左側より、順次受光素子８Ｃ〜８Ｇが配置される。
【００２１】
これらにより各センサ５Ａ〜５Ｇは、ユーザーがタッチパネル４に指を近づけると、発光素子７Ａ〜７Ｇから射出された赤外線が遮光されて、対応する受光素子８Ａ〜８Ｇで受光される赤外線の光量が減少するようになされ、この光量の変化により各領域への指の接近を検出するようになされている。
【００２２】
カーナビゲーション装置１において（図２）、信号処理回路１０は、これらセンサ５Ａ〜５Ｇを駆動すると共に、受光結果を処理し、処理結果をメインマイコン（メインマイクロコンピュータ）１１に通知する。すなわち図４に示すように、信号処理回路１０は、図示しない駆動回路によりセンサ５Ａ〜５Ｇの各発光素子７Ａ〜７Ｇを点灯させ、また各受光素子８Ａ〜８Ｇの受光結果をそれぞれ所定利得で増幅して比較回路１２Ａ〜１２Ｇに入力する。
【００２３】
各比較回路１２Ａ〜１２Ｇは、それぞれ所定の基準電源１３Ａ〜１３Ｇとの比較により、各受光素子８Ａ〜８Ｇにおける受光光量の変化を検出し、比較結果をレジスタ１６に出力する。レジスタ１６は、これら比較結果を所定周期で取り込んでメインマイコン１１に出力し、これによりカーナビゲーション装置１では、メインマイコン１１において、タッチパネル４の何れの領域にユーザーが指を近づけたかを検出できるようになされている。
【００２４】
位置検出部（図２）１６は、メインマイコン１１による制御により、現在位置の位置情報を取得してメインマイコン１１に通知する。なおここで位置検出部１３は、例えばＧＰＳ（Global Positioning System ）により位置情報を取得する。光ディスク部１３は、地図の情報、レストラン、土産物店等の各種店舗の位置情報等を記録してなる光ディスクをメインマイコン１１の制御によりアクセスし、これらの情報をメインマイコン１１に出力する。
【００２５】
表示マイコン（表示マイクロコンピュータ）１４は、メインマイコン１１の制御により、ＬＣＤドライバ１５を駆動し、これにより表示部３に各種画像等を表示する。
【００２６】
メインマイコン１１は、このカーナビゲーション装置１の動作を制御するコンピュータであり、図示しない操作子の操作により、またタッチパネル４の操作、信号処理回路１０を介して検出されるユーザーの操作により、表示部３に道案内用の地図等を表示する。
【００２７】
すなわちメインマイコン１１は、ユーザーによる図示しない操作子の操作により、カーナビゲーション装置１の電源が立ち上げられると、表示画面に所定の初期画面を表示する。ここでこの初期画面は、所定のメニューを配置して構成され、メインマイコン１１は、タッチパネル４を介して検出されるユーザーによるメニューの選択により、全体の動作を切り換える。
【００２８】
すなわちユーザーが道案内のメニューを選択すると、位置検出部１２より現在位置情報を取得する。またユーザーによる操作に応動して順次表示画面の表示を切り換えて目的地の入力を受け付け、この現在位置から目的地までのルートを光ディスクに記録された地図情報を基準にして検索する。さらにこの検索結果に基づいて、図１（Ａ）に示すように、現在位置を基準にした目的地までのルートを表示画面に表示する。またこのような処理と併せて、音声によるガイドをユーザーに提供する。これによりこのカーナビゲーション装置１では、表示部３の表示画面を介して種々の情報をユーザーに提供するようになされている。
【００２９】
このようにして表示画面を介して種々の情報を提供している際に、センサ５Ａ〜５Ｇによりタッチパネル４への指の接近が検出されると、メインマイコン１１は、図１（Ｂ）に示すように、所定のメニューをアイコンにより表示する。ここでこのメニューは、選択可能な処理の一覧を表示するものである。メインマイコン１１は、指の接近が検出された領域に応じて、このメニューの表示位置を設定する。すなわちメインマイコン１１は、ユーザーが表示画面の右上側の領域に指を近づけた場合、右上隅にメニューを表示する。またユーザーが表示画面の右下側の領域に指を近づけた場合、右下隅にメニューを表示する。また同様にして、ユーザーが表示画面の左上側の領域、左下側の領域に指を近づけた場合、それぞれ左上隅、左下隅にメニューを表示する。
【００３０】
さらにメインマイコン１１は、このようにしてメニューを表示して、ユーザーによるメニューの選択がタッチパネル４で検出されると、このメニューの選択に対応するように全体の動作を制御し、必要に応じて表示画面の表示を切り換える。これに対してユーザーによりメニューが選択されないで、指が遠ざけられたことが検出されると、所定の表示時間の経過により、メニューの表示を中止する。
【００３１】
さらにこのようなメニューの選択により、ユーザーが設定のメニューを選択すると、メインマイコン１１は、所定の設定用画面を表示してユーザーによるタッチパネル４の操作を検出し、これにより表示時間の設定を受け付ける。
【００３２】
（２）実施の形態の動作
以上の構成において、カーナビゲーション装置１では（図２）、電源が立ち上げられると、メインマイコン１１の制御により表示マイコン１４、ＬＣＤドライバ１５で表示部３が駆動され、所定のメニューが表示される。カーナビゲーション装置１では、ユーザーが指を近づけてメニューに指を触れると、この操作がタッチパネル４により検出され、これによりメインマイコン１１からの指示により、このユーザーによるメニューの操作に応動して表示が切り換えられる。
【００３３】
これにより例えばユーザーが道案内を指示した場合、位置検出部１２で検出される現在位置情報により光ディスク部１３で光ディスクがアクセスされ、この光ディスクに記録された情報の検索により、ルートが設定され、またこのルートを指示する地図が表示部３により表示される。これによりカーナビゲーション装置１では、この表示部３の表示画面を介して種々の情報をユーザーに提供するようになされている。
【００３４】
このようにして例えば地図により情報を提供している際に（図１）、ユーザーがタッチパネル４に指を近づけると、カーナビゲーション装置１では、表示画面の周囲に配置されたセンサ５Ａ〜５Ｇの何れかにおいて（図３）、発光素子７Ａ〜７Ｇより送出される赤外線が遮られ、対応する受光素子８Ａ〜８Ｇにおける受光光量が減少し、信号処理回路１０において、この光量の減少により指の接近が、その接近した領域と共に検出される。
【００３５】
カーナビゲーション装置１では、この検出結果によるメインマイコン１１の処理により、指が接近されてなる領域に対応した位置に、メニューが表示される。
【００３６】
これによりユーザーにおいては、表示部３の表示画面の全面を使用して種々の情報の提供を受け、必要に応じて指を近づけてメニューを選択することが可能となる。これによりこのカーナビゲーション装置１では、指の接近を検出して表示を切り換え、大きさの限られた表示画面を有効に利用して種々の情報を確実に提供することができるようになされている。
【００３７】
すなわちカーナビゲーション装置１では、このようにして表示したメニューの操作がタッチパネル４で検出されると、この操作に対応するように全体処理が切り換えられ、これによりユーザーの所望する情報が提供される。
【００３８】
このようにして処理するにつき、ユーザーが指を近づけた領域に対応する位置にメニューが表示されることにより、ユーザーにおいては、指を近づけて速やかに所望するメニューを選択することができ、その分、使い勝手を向上することができる。
【００３９】
これに対してこのようにしてメニューを表示して、ユーザーによりタッチパネル４が操作されないまま、指が遠ざけられた場合、カーナビゲーション装置１では、所定時間の経過後に、メニューが閉じられる。これによりカーナビゲーション装置１では、指を遠ざけたり、近づけたりした場合の、頻繁な表示の切り換えを防止し、ユーザーの煩わしさを解消するようになされている。
【００４０】
またこのような所定時間については、ユーザーの操作により可変できるようになされ、これによりユーザーの好みに応じてこのようなメニューの切り換え速度を設定して使い勝手を向上できるようになされている。
【００４１】
（３）実施の形態の効果
以上の構成によれば、表示画面に配置したタッチパネルによりユーザーの操作を受け付ける場合に、このタッチパネルへの指の接近によりメニューを表示することにより、大きさの限られた表示画面を有効に利用して、種々の情報を確実に提供することができる。これによりカーナビゲーション装置においては、ユーザーに安全運転を促すことができる。
【００４２】
またこのとき、この指の接近を、赤外線を送出する発光部と、この発光部に対応するように配置されて、指による赤外線の遮光を検出する受光部とにより構成することにより、簡易かつ確実に、指の接近を検出することができ、また必要に応じてこれらの組み合わせを複数配置することにより、指の接近した領域を検出して対応する処理を実行することができる。
【００４３】
またこのとき、指が接近してなる領域に応じて、メニューの表示位置を設定することにより、指を近づけて迅速に所望するメニューを選択することができ、その分、使い勝手を向上することができる。
【００４４】
また指が遠ざかったことが検出されると、所定の表示時間だけ経過した時点でメニューの表示を終了することにより、指を遠ざけたり、近づけたりした場合の、頻繁な表示の切り換えを防止し、ユーザーの煩わしさを解消することができる。
【００４５】
またこの表示時間の変更を受け付けるようにしたことにより、ユーザーの好みに応じてこのようなメニューの切り換え速度を設定して使い勝手を向上することができる。
【００４６】
（４）他の実施の形態
なお上述の実施の形態においては、指が近づけられた領域に応じてメニューを表示する場合について述べたが、本発明はこれに限らず、表示中の画像に応じて表示位置を設定するようにしてもよい。すなわち上述したようなカーナビゲーション装置においてルートを表示している場合には、表示画面上における現在位置の表示、目的地の表示に応じて、この現在位置から目的地までの表示に邪魔にならない位置にメニューを表示するようにして、使い勝手を向上することができる。またこのような表示位置を種々に設定する処理に代えて、例えば事前に設定された所定位置にメニューを表示するようにしてもよい。
【００４７】
また上述の実施の形態においては、地図等を表示した状態で、指が近づけられるとメニューを表示する場合について述べたが、本発明はこれに限らず、例えば初期画面等であるメニュー画面を表示した状態で、指が近づけられると、この指が近づけられたメニューの下位のメニューを開く場合等にも広く適用することができる。
【００４８】
また上述の実施の形態においては、赤外線の遮光により指の接近を検出する場合について述べたが、本発明はこれに限らず、赤外線の散乱により指の接近を検出する場合等にも広く適用することができる。また赤外線の発光素子及び受光素子に代えて、マイクロ波の送信部と受信部とを配置し、指の接近によるマイクロ波受信結果の減衰、増大により指の接近を検出する場合、さらには受信したマイクロ波におけるドップラーシフトを検出して指の接近を検出する場合にも広く適用することができる。またこのような赤外線、マイクロ波による検出に代えて、タッチパネルに対する静電容量の変化により指の接近を検出するようにしてもよい。
【００４９】
また上述の実施の形態においては、単に指の接近を検出して表示を切り換える場合について述べたが、本発明はこれに限らず、指の移動を併せて検出して表示を切り換えるようにしてもよい。なおこの場合、表示画面に近接した状態における指の移動により、表示を拡大、縮小する場合、表示をスクロールさせる場合等が考えられる。
【００５０】
また上述の実施の形態においては、カーナビゲーション装置に本発明を適用する場合について述べたが、本発明はこれに限らず、携帯型の各種画像表示装置、パーソナルコンピュータのディスプレイ等、種々の画像表示装置に広く適用することができる。
【００５１】
また上述の実施の形態においては、指の接近を検出して表示を切り換える場合について述べたが、本発明はこれに限らず、タッチパネルの操作に使用する各種ポインタの接近を検出して表示を切り換える場合に広く適用することができる。なお、このようなポインタとしては、指のみに限らず、ペン、指示棒等、タッチパネルを操作する種々の器具が含まれる。
【符号の説明】
【００５２】
１……カーナビゲーション装置、２……画像表示ユニット、３……表示部、４……タッチパネル、５Ａ〜５Ｇ……センサ、１１……メインマイコン
【図１】
2011003202.tif 000003
【図２】
2011003202.tif 000004
【図３】
2011003202.tif 000005
【図４】
2011003202.tif 000006